(57)【特許請求の範囲】
【請求項１】
二次元配列された受光部を有することにより原稿の画像を二次元方向に読み取ることができる２つの画像読取部と、
２つの前記画像読取部のうち一方を第１画像読取部として備える第１本体部と、
前記第１本体部と開閉可能に設けられることにより前記第１本体部と相対的に閉じた際に前記第１本体部との間に前記原稿を挟み込むことが可能になっていると共に、前記第１本体部と相対的に閉じる際には前記第１本体部における前記第１画像読取部が設けられている面に対して閉じ、且つ、前記第１本体部と相対的に閉じた際に前記第１画像読取部に対向する位置に、前記画像読取部の他方を第２画像読取部として備える第２本体部と、
を備え、
２つの前記画像読取部のうち、少なくともいずれか一方は弾性部材を介して前記第１本体部または前記第２本体部に取り付けられており、
前記弾性部材は、前記第１本体部と前記第２本体部とを閉じて前記第１本体部と前記第２本体部との間に前記原稿を挟み込んだ際に、前記原稿と２つの前記画像読取部との間で押圧力を発生させ、
前記第１本体部と前記第２本体部とは、２つの前記画像読取部における前記原稿の画像を読み取るそれぞれの面に対して平行な回転軸を有するヒンジで接続されることにより相対的に開閉可能に設けられており、
前記ヒンジは、前記第１本体部と前記第２本体部とのうち、一方に接続されるヒンジ部と、他方に接続されるヒンジ部とを有すると共に、
一方の前記ヒンジ部に設けられる突起部と、
他方の前記ヒンジ部に設けられると共に前記突起部に嵌り合うことができる凹部が形成され、且つ、前記突起部に押し付けられる付勢部材と、
を有し、
前記第１本体部と前記第２本体部とは、開閉角度が一定以下の場合に、前記ヒンジの前記突起部と前記凹部とが嵌り合う方向に回動する方向の力により、双方が閉じる方向のトルクが発生し、
前記第１本体部と前記第２本体部を閉じた際において前記ヒンジの前記突起部と前記凹部とが嵌り合う前記第１本体部と前記第２本体部との相対的な角度は、前記第１本体部と前記第２本体部とが食い込む状態の角度であることを特徴とする密着型画像読取装置。
【請求項２】
前記第１本体部と前記第２本体部との間に挟み込んだ前記原稿を押圧して前記原稿を平面な状態にするのに必要な力をａとし、前記弾性部材のばね定数をｋとし、前記弾性部材の最大変形量をｘとし、前記第１本体部と前記第２本体部とを閉じた状態にするために前記第１本体部または前記第２本体部に加える力をＦとした場合に、（ａ／ｘ）＜ｋ＜{（Ｆ−ａ）／ｘ}の関係を満たすことを特徴とする請求項１に記載の密着型画像読取装置。
【発明の詳細な説明】
【技術分野】
【０００１】
本発明は、密着型画像読取装置に関する。
【背景技術】
【０００２】
画像読取装置は、検出した光を電気信号に変換する受光素子を備え、画像を読み取る原稿で反射した光を、この受光素子で検出して電気信号に変換することにより、原稿の画像を電気的に処理している。また、このように原稿で反射した光を受光素子で検出する従来の画像読取装置では、受光素子を備える画像読取部で原稿の画像を読み取る際に画像読取部を原稿に密着させ、原稿の画像を読み取る際における鮮明さを確保したり、装置全体の小型化を図ったりしているものがある。
【０００３】
例えば、特許文献１に記載された画像読取表示装置では、表示部上に原稿を載置し、表示部と画像読取部とによって原稿を挟み込んだ状態で、画像読取部で原稿の画像を読み取っている。これにより、原稿の読み取り時における駆動機構が不要になるため、装置の小型化や薄型化を実現することができ、また、表示部と画像読取部とを対向させるため、運搬時にそれぞれが損傷することを抑制でき、可搬性を向上させることができる。
【０００４】
また、特許文献２に記載された画像読取表示装置では、画像読取部であるイメージセンサと、表示部であるＬＣＤ（Ｌｉｑｕｉｄ  Ｃｒｙｓｔａｌ  Ｄｉｓｐｌａｙ）とを開閉可能に設けると共に、イメージセンサと原稿押さえ板とを開閉可能に設け、原稿の画像をイメージセンサで読み取る際には、原稿をイメージセンサと原稿押さえ板とで挟み込むことにより読み取っている。これにより、イメージセンサとＬＣＤとを重ねることができるので、装置の小型化を図ることができる。
【先行技術文献】
【特許文献】
【０００５】
【特許文献１】特開２００５−１１５６６１号公報
【特許文献２】特開平５−１４５６９９号公報
【発明の概要】
【発明が解決しようとする課題】
【０００６】
ここで、画像読取部で原稿の画像を読み取る場合、原稿の片側の面のみでなく、両面を読み取る場合がある。このように原稿の両面を読み取る場合、通常は、画像読取部で一方の面を読み取った後、原稿を裏返しにして他方の面を画像読取部で読み取る。しかし、原稿の両面を読み取る際に、このように原稿を裏返す作業が必要になり、また、原稿の読み取り動作も２回行わなければならないため、読み取り時における作業が煩雑なものとなっていた。
【０００７】
本発明は、上記に鑑みてなされたものであって、原稿の両面を読み取る際における容易性を向上させることのできる密着型画像読取装置を提供することを目的とする。
【課題を解決するための手段】
【０００８】
上述した課題を解決し、目的を達成するために、本発明に係る密着型画像読取装置は、二次元配列された受光部を有することにより原稿の画像を二次元方向に読み取ることができる２つの画像読取部と、２つの前記画像読取部のうち一方を第１画像読取部として備える第１本体部と、前記第１本体部と開閉可能に設けられることにより前記第１本体部と相対的に閉じた際に前記第１本体部との間に前記原稿を挟み込むことが可能になっていると共に、前記第１本体部と相対的に閉じる際には前記第１本体部における前記第１画像読取部が設けられている面に対して閉じ、且つ、前記第１本体部と相対的に閉じた際に前記第１画像読取部に対向する位置に、前記画像読取部の他方を第２画像読取部として備える第２本体部と、を備えることを特徴とする。
【０００９】
この発明では、第１画像読取部を備える第１本体部と、第２画像読取部を備える第２本体部と、を備え、第１本体部と第２本体部とを開閉可能に設けている。また、第１画像読取部と第２画像読取部とは、第１本体部と第２本体部とを閉じた際に、互いに対向する位置に、第１本体部または第２本体部に設けられている。これらにより、第１本体部と第２本体部とを閉じて原稿を挟み込んだ際に、原稿を２つの画像読取部で挟み込み、原稿の両面に画像読取部を位置させることができる。従って、原稿の両面の画像を、２つの画像読取部でほぼ同時に読み取ることができる。この結果、原稿の両面を読み取る際における容易性を向上させることができる。
【００１０】
また、上記密着型画像読取装置において、２つの前記画像読取部のうち、少なくともいずれか一方は弾性部材を介して前記第１本体部または前記第２本体部に取り付けられており、前記弾性部材は、前記第１本体部と前記第２本体部とを閉じて前記第１本体部と前記第２本体部との間に前記原稿を挟み込んだ際に、前記原稿と２つの前記画像読取部との間で押圧力を発生させることが好ましい。
【００１１】
この発明では、２つの画像読取部のうち、少なくともいずれか一方は弾性部材を介して取り付け、第１本体部と第２本体部との間に原稿を挟み込んだ際には、弾性部材によって原稿と２つの画像読取部との間で押圧力を発生させている。これにより、原稿を画像読取部に密着させた状態で原稿の画像を読み取ることができる。この結果、より鮮明に原稿を読み取ることができる。
【００１２】
また、上記密着型画像読取装置において、前記第１本体部と前記第２本体部との間に挟み込んだ前記原稿を押圧して前記原稿を平面な状態にするのに必要な力をａとし、前記弾性部材のばね定数をｋとし、前記弾性部材の最大変形量をｘとし、前記第１本体部と前記第２本体部とを閉じた状態にするために前記第１本体部または前記第２本体部に加える力をＦとした場合に、（ａ／ｘ）＜ｋ＜{（Ｆ−ａ）／ｘ}の関係を満たすことが好ましい。
【００１３】
この発明では、原稿を押圧して原稿を平面な状態にするのに必要な力を発生させるために、各数値の相対関係を規定するので、原稿を押圧した状態で原稿の画像を読み取る際に、原稿をより確実に平面な状態にし、原稿を画像読取部に密着させることができる。この結果、より確実に、鮮明に原稿を読み取ることができる。
【００１４】
また、上記密着型画像読取装置において、前記第１本体部と前記第２本体部とは、ヒンジで接続されることにより相対的に開閉可能に設けられていることが好ましい。
【００１５】
この発明では、第１本体部と第２本体部とはヒンジで接続され、相対的に開閉可能に設けられているため、原稿の画像の読み取り時に、ヒンジを中心として第１本体部と第２本体部とを相対的に回動させることによって容易に第１本体部と第２本体部とを開いて双方の間に原稿を位置させることができる。また、第１本体部と第２本体部との間に位置した原稿を第１本体部と第２本体部とで挟み込む際も同様に、ヒンジを中心として第１本体部と第２本体部とを相対的に回動させることにより、容易に第１本体部と第２本体部とを閉じて、第１本体部と第２本体部とで原稿を挟み込むことができる。これにより、より容易に、原稿を第１画像読取部と第２画像読取部とで挟み込むことができ、原稿の両面に画像読取部を位置させることができる。この結果、原稿の両面を読み取る際における容易性を、より確実に向上させることができる。
【００１６】
また、上記密着型画像読取装置において、前記ヒンジは、２つの前記画像読取部における前記原稿の画像を読み取るそれぞれの面に対して平行な回転軸を有することが好ましい。
【００１７】
この発明では、ヒンジは、画像読取部における原稿の画像を読み取る面に対して平行な回転軸を有しているので、ヒンジを中心とする第１本体部と第２本体部との開閉方向を、第１画像読取部と第２画像読取部とにおける原稿の画像を読み取る面の間の距離を変化させることができる方向にすることができる。これにより、原稿を第１本体部と第２本体部との間に位置させる場合には、第１本体部と第２本体部とを開くことにより、第１画像読取部と第２画像読取部とにおける原稿の画像を読み取る面の間の距離を大きくすることができるので、原稿を容易に第１本体部と第２本体部との間に位置させることができる。また、原稿を第１本体部と第２本体部とで挟み込む場合には、第１本体部と第２本体部とを閉じることにより、第１画像読取部と第２画像読取部とにおける原稿の画像を読み取る面の間の距離を小さくすることができるので、原稿を容易に第１本体部と第２本体部とで挟み込むことができる。従って、より容易に、原稿を第１画像読取部と第２画像読取部とで挟み込むことができ、原稿の両面に画像読取部を位置させることができる。この結果、原稿の両面を読み取る際における容易性を、より確実に向上させることができる。
【００１８】
また、上記密着型画像読取装置において、前記第１本体部と前記第２本体部とは、開閉角度が一定以下の場合に双方が閉じる方向のトルクが発生することが好ましい。
【００１９】
この発明では、第１本体部と第２本体部との開閉角度が一定以下の場合には、双方が閉じる方向のトルクが発生するように設けられているので、第１本体部と第２本体部との間に原稿を挟み込んだ際に、より確実に、原稿と２つの画像読取部との間で押圧力を発生させることができる。これにより、より確実に、原稿を画像読取部に密着させた状態で原稿の画像を読み取ることができる。この結果、より鮮明に原稿を読み取ることができる。
【００２０】
また、上記密着型画像読取装置において、前記第１本体部と前記第２本体部とは、２つの前記画像読取部における前記原稿の画像を読み取るそれぞれの面に対して平行に相対的に直線運動を行うことによって開閉することが好ましい。
【００２１】
これにより、第１本体部と第２本体部とを、直線運動を行うことによって開閉するので、画像読取部の原稿の画像を読み取る面に直交する方向の大きさを大きくすることなく、第１本体部と第２本体部とを開くことができる。これにより、密着型画像読取装置の周囲におけるこの方向のスペースを大きく取れない状態でも、容易に第１本体部と第２本体部とを開いて、双方の間に原稿を挟み込むことができる。この結果、原稿の両面を読み取る際における容易性を、より確実に向上させることができる。
【００２２】
また、上記密着型画像読取装置において、前記第１本体部と前記第２本体部とは、開閉方向における相対的な位置関係が、双方を閉じた状態を基準として一定以下の移動量の場合に双方が閉じる方向の力を発生することが好ましい。
【００２３】
これにより、第１本体部と第２本体部とは、直線運動による開閉方向における相対的な位置関係が、閉じた状態から一定以下の移動量の場合には、双方が閉じる方向の力を発生するように設けられているので、第１本体部と第２本体部との間に原稿を挟み込んだ際に、原稿と２つの画像読取部との間で押圧力を発生させることができる。これにより、原稿を画像読取部に密着させた状態で原稿の画像を読み取ることができる。この結果、より鮮明に原稿を読み取ることができる。
【発明の効果】
【００２４】
本発明に係る密着型画像読取装置は、原稿の両面を読み取る際における容易性を向上させることができる、という効果を奏する。
【図面の簡単な説明】
【００２５】
【図１】図１は、実施形態１に係る密着型画像読取装置の外観を示す図であり、蓋部を閉じた状態を示す図である。
【図２】図２は、図１に示す密着型画像読取装置の蓋部を開いた状態を示す図である。
【図３】図３は、図２に示す画像読取部の構成を示す断面図である。
【図４】図４は、図２のＡ−Ａ断面図である。
【図５】図５は、図４のＣ部詳細図である。
【図６】図６は、図２のＢ部詳細図であり、ヒンジの詳細図である。
【図７】図７は、図６のＤ−Ｄ断面図である。
【図８】図８は、図７のＥ−Ｅ断面図である。
【図９】図９は、図１に示す密着型画像読取装置の構成の概略を示す図である。
【図１０】図１０は、原稿の画像の読み取り時における原稿の載置についての説明図である。
【図１１】図１１は、原稿の画像を読み取る場合についての説明図である。
【図１２】図１２は、ヒンジの動作説明図である。
【図１３】図１３は、図１２のＧ−Ｇ断面図である。
【図１４】図１４は、蓋部を開いた状態を示す説明図である。
【図１５】図１５は、ヒンジの突起部と凹部とが嵌り合う状態における蓋部と本体部との相対関係を示す説明図である。
【図１６】図１６は、参考例に係る密着型画像読取装置の説明図である。
【図１７】図１７は、図１６のＨ−Ｈ断面図である。
【図１８】図１８は、蓋部を開いた状態を示す説明図である。
【図１９】図１９は、蓋部を閉じた状態を示す説明図である。
【発明を実施するための形態】
【００２６】
以下に、本発明に係る密着型画像読取装置の実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００２７】
〔実施形態１〕
図１は、実施形態１に係る密着型画像読取装置の外観を示す図であり、蓋部を閉じた状態を示す図である。図２は、図１に示す密着型画像読取装置の蓋部を開いた状態を示す図である。同図に示す密着型画像読取装置１は、共に薄型の略直方体、或いは略板状に形成された第１本体部である蓋部５と第２本体部である本体部６とを有しており、蓋部５と本体部６とは、双方の一辺がヒンジ８によって接続されている。これにより、蓋部５と本体部６とは、相対的に開閉可能に設けられている。また、これらの蓋部５と本体部６とには、画像を読み取る画像読取部１０が２つ設けられており、蓋部５には、２つの画像読取部１０のうち一方の画像読取部１０である第１画像読取部１１が設けられており、本体部６には、他方の画像読取部１０である第２画像読取部１２が設けられている。詳しくは、蓋部５には、蓋部５を閉じた際における本体部６側の面に第１画像読取部１１が設けられ、本体部６には、蓋部５を閉じた際における蓋部５側の面に第２画像読取部１２が設けられている。これらの第１画像読取部１１と第２画像読取部１２とは、蓋部５と本体部６とを閉じた際に、重なり合う位置に配設されている。換言すると、蓋部５と相対的に開閉可能な本体部６は、蓋部５と相対的に閉じる際には蓋部５における第１画像読取部１１が設けられている面に対して閉じ、且つ、蓋部５と相対的に閉じた際には第１画像読取部１１に対向する位置に第２画像読取部１２が備えられている。
【００２８】
また、蓋部５には、第１画像読取部１１が設けられている側の面の反対側の面に、画像表示部１５が設けられている。この画像表示部１５は、液晶パネルによって設けられており、任意の画像が表示可能になっている。また、この画像表示部１５には、表示された画像に応じて当該画像表示部１５を触れることにより入力操作を行うことができる、いわゆるタッチパネルが設けられており、画像表示部１５は、タッチパネル付き液晶パネルになっている。このため、画像表示部１５は、操作入力部としての機能も兼ね備えており、例えば、原稿の撮像の開始を行う際の指示の入力を行うスタートボタンとしての機能を備えている。
【００２９】
また、蓋部５や本体部６には、機械式センサや磁気センサ、または光センサ等により、双方の開閉の検出が可能な開閉検出機構（図示省略）が設けられている。
【００３０】
図３は、図２に示す画像読取部の構成を示す断面図である。第１画像読取部１１と第２画像読取部１２との双方の画像読取部１０は、共に図３に示すような同様な構成で設けられている。この画像読取部１０は、バックライト３０と、このバックライト３０上に設けられる透明なガラス基板２１と、ガラス基板２１上に所定の間隔で二次元配列状に複数が配設される受光部である受光素子２５とが、積層されて設けられている。このうち、ガラス基板２１上に配設される受光素子２５は、詳しくはガラス基板２１におけるバックライト３０が位置する側の反対側の面に配設されている。第１画像読取部１１と第２画像読取部１２との双方の画像読取部１０は、このように受光素子２５が二次元配列状に複数配設される、二次元密着型の画像読取部１０である二次元密着型エリアセンサとして設けられている。
【００３１】
また、バックライト３０は、光源であるＬＥＤ（Ｌｉｇｈｔ  Ｅｍｉｔｔｉｎｇ  Ｄｉｏｄｅ）３３と、このＬＥＤ３３で発した光をガラス基板２１全体に導く導光板３１及び反射板３２と、を備えている。このように、光源としてＬＥＤ３３が用いられる画像読取部１０では、ＬＥＤ３３をＲ（Ｒｅｄ）、Ｇ（Ｇｒｅｅｎ）、Ｂ（Ｂｌｕｅ）の３色とし、順次発光して画像を読み取り、読み取った画像を合成することでカラー画像を得ることができる。なお、ＬＥＤ３３をＲＧＢの３色にする代わりに、受光素子２５にＲＧＢのカラーフィルターを備えることでも、カラー化が可能になる。
【００３２】
また、バックライト３０が有する光源は、本実施形態１に係る密着型画像読取装置１ではＬＥＤ３３を用いているが、この光源はＬＥＤ３３以外のものを用いてもよく、例えば、ＣＣＦＬ（Ｃｏｌｄ  Ｃａｔｈｏｄｅ  Ｆｌｕｏｒｅｓｃｅｎｔ  Ｌａｍｐ）等の光源を用いてもよい。
【００３３】
また、バックライト３０は、ガラス基板２１における受光素子２５が位置する側の反対側に設けられているが、このバックライト３０は、ＬＥＤ３３の発光時に、ＬＥＤ３３で発した光を導光板３１と反射板３２とによってガラス基板２１全体に導くことが可能になっており、また、ガラス基板２１は透明な部材により設けられている。これらのため、ＬＥＤ３３の発光時、即ち、バックライト３０の発光時には、バックライト３０からの光はガラス基板２１を透過し、複数の受光素子２５同士の間から、ガラス基板２１においてバックライト３０が位置する側の反対側の方向に照射される。
【００３４】
このように、透明に設けられるガラス基板２１上における複数の受光素子２５同士の間の部分は、バックライト３０の発光時に、この光を用いて、ガラス基板２１においてバックライト３０が位置する側の反対側の方向に発光可能な発光部２６として設けられている。つまり、ガラス基板２１上に配設される受光素子２５同士は離間しているので、発光部２６は、各受光素子２５の周囲にそれぞれ設けられた状態になっている。また、これらのようにガラス基板２１には受光素子２５が設けられていると共に発光部２６も設けられており、このため、受光素子２５を含めたガラス基板２１からなる層は、受光と発光とが可能な受発光層２０として設けられている。
【００３５】
このように設けられる画像読取部１０は、受発光層２０に設けられる受光素子２５で、原稿で反射した光を受光することにより、原稿の画像を読み取ることができるように設けられているため、画像読取部１０で原稿の画像を読み取る場合は、画像読取部１０において受光素子２５が設けられている側の面で読み取る。また、画像読取部１０は、原稿の画像を読み取る側の面の反対側に原稿を照射する照射光を発光するバックライト３０が配設されている。
【００３６】
図４は、図２のＡ−Ａ断面図である。図５は、図４のＣ部詳細図である。蓋部５には第１画像読取部１１が設けられているが、この蓋部５には、第１画像読取部１１を配設する部分である画像読取部設置部３５が形成されており、第１画像読取部１１は、この画像読取部設置部３５に内設された弾性部材であるクッション材３８を介して蓋部５に取り付けられている。詳しくは、画像読取部設置部３５は、第１画像読取部１１を本体部６の方向から見た場合における形状が、第１画像読取部１１よりも若干大きく、所定の深さを有する凹みにより形成されている。クッション材３８は、このように凹んで形成される画像読取部設置部３５の底部３６に複数が配設されており、第１画像読取部１１は、このクッション材３８に取り付けられている。
【００３７】
このように画像読取部設置部３５に複数が配設されるクッション材３８は、ポリウレタンやゴム材料等、弾性変形が可能で、弾力性を有する材料により形成されている。第１画像読取部１１は、当該第１画像読取部１１を本体部６の方向から見た場合における形状が、略矩形状の形状で形成されているが、クッション材３８は、このように形成される第１画像読取部１１の４つの角部付近で、且つ、本体部６が位置する側の反対側の面に配設されている。即ち、クッション材３８は、画像読取部設置部３５の底部３６と第１画像読取部１１との間に配設されて第１画像読取部１１を支持しており、第１画像読取部１１は、画像読取部設置部３５が形成されている部分に、少なくとも一部が画像読取部設置部３５内に位置した状態でクッション材３８を介して配設されている。
【００３８】
第１画像読取部１１は、このように弾性変形が可能なクッション材３８によって画像読取部設置部３５が形成されている部分に配設されているため、第１画像読取部１１に荷重が付与された場合には、第１画像読取部１１はクッション材３８の弾性変形により、クッション材３８に支持された状態で動くことができる。第１画像読取部１１は、このように付与される荷重によって動くことができるフローティング構造によって設けられている。
【００３９】
図６は、図２のＢ部詳細図であり、ヒンジの詳細図である。図７は、図６のＤ−Ｄ断面図である。蓋部５と本体部６とは、ヒンジ８によって接続されているが、このヒンジ８は、蓋部５と本体部６とにおいてヒンジ８が設けられている辺の両端付近の２箇所に配設されており、この２箇所に設けられるヒンジ８は、双方が同様な構成で設けられている。
【００４０】
詳しくは、このヒンジ８は、蓋部５に接続される側の部分である蓋部側ヒンジ部４０と、本体部６に接続される側の部分である本体部側ヒンジ部４５とを有している。このうち、蓋部側ヒンジ部４０は、略円柱形状の形状で形成され、開閉させる部位に接続する部分である接続部４１が設けられている。また、蓋部側ヒンジ部４０には、接続部４１の形状である円柱の軸方向における一端に、径が当該円柱の径よりも大きい略円板状の形状で形成され、中心軸が円柱の中心軸ＣＬと同心になって形成された当接部４２が設けられている。
【００４１】
図８は、図７のＥ−Ｅ断面図である。さらに、この当接部４２における、接続部４１が位置する側の面の反対側の面には、接続部４１が位置する側の反対方向に突出した突起部４３が設けられている。この突起部４３は、当接部４２を軸方向に見た場合における外周側付近の位置で、周方向において異なる位置に２つが設けられており、２つの突起部４３は、中心軸ＣＬを中心として点対称になる位置に配設されている。即ち、２つの突起部４３は、当接部４２の中心軸ＣＬを中心として１８０°ずれた位置に配設されている。
【００４２】
これに対し、本体部側ヒンジ部４５は、略直方体状の形状で形成されており、本体部側ヒンジ部４５と蓋部側ヒンジ部４０とを組んだ状態では、蓋部側ヒンジ部４０は、直方体状の本体部側ヒンジ部４５の１つの面から突出した形態となっている。このように設けられる本体部側ヒンジ部４５は、内部に空間が形成されたハウジング４６を有している。
【００４３】
このハウジング４６の空間は、蓋部側ヒンジ部４０の中心軸ＣＬに沿った方向に見た場合における形状が、一辺の長さが蓋部側ヒンジ部４０の当接部４２の形状である円板の直径よりも若干長い、略正方形の形状で形成されている。このように形成されるハウジング４６の空間は、ヒンジ８の開閉機構を構成する各部材が内設される機構室４７となっている。
【００４４】
また、ハウジング４６には、蓋部側ヒンジ部４０がハウジング４６の外側と内側とにかけて貫通し、接続部４１の径よりも若干大きい径で形成された穴である穴部４８が形成されている。蓋部側ヒンジ部４０は、当接部４２が、ハウジング４６の機構室４７に内設され、接続部４１は、ハウジング４６の穴部４８を貫通して、機構室４７からハウジング４６の外部に向かって突出して配設されている。
【００４５】
また、ハウジング４６の機構室４７には、付勢部材５０とスプリング５２とが内設されている。このうち、付勢部材５０は、蓋部側ヒンジ部４０の中心軸ＣＬに沿った方向に見た場合における形状が、機構室４７の形状である正方形よりも、若干小さい略正方形の形状となる板状の部材として形成されており、機構室４７内に位置する当接部４２に対向して配設されている。このため、当接部４２は、蓋部側ヒンジ部４０の中心軸ＣＬに沿った方向には移動可能で、この中心軸ＣＬを中心とする回転方向には、回転不可となって配設されている。
【００４６】
このように配設される付勢部材５０における当接部４２側の面には、この面から凹んで形成された凹部５１が設けられている。この凹部５１は、付勢部材５０に対向している当接部４２に形成された突起部４３と同様に２つ形成されており、突起部４３に対応する位置に、突起部４３に対応する大きさ、及び深さで形成されている。このため、突起部４３と凹部５１とは、それぞれ２つずつ設けられた突起部４３と凹部５１とが共に嵌り合うことができる。さらに、当接部４２の中心軸ＣＬを中心として当接部４２が１８０°回転した場合でも、突起部４３と凹部５１とは、嵌り合う突起部４３と凹部５１とが入れ替わって嵌り合うことができる。
【００４７】
また、スプリング５２は、圧縮ばねによって設けられており、機構室４７における蓋部側ヒンジ部４０の当接部４２が位置している側の反対側に配設され、付勢部材５０に対して、当接部４２に押し付ける方向の付勢力を付与している。このため、付勢部材５０は、スプリング５２の付勢力によって、常に当接部４２に押し付けられた状態になっている。
【００４８】
これらのように設けられるヒンジ８は、蓋部側ヒンジ部４０の接続部４１が蓋部５に接続されており、本体部側ヒンジ部４５が、本体部６に接続されている。また、蓋部側ヒンジ部４０は、中心軸ＣＬを中心とした回転方向に、本体部側ヒンジ部４５に対して相対的に回転可能に設けられている。これにより、蓋部５と本体部６とは、蓋部側ヒンジ部４０の中心軸ＣＬを中心として相対的に回動し、開閉可能になっている。
【００４９】
ヒンジ８は、これらのように蓋部５や本体部６に接続され、蓋部５と本体部６とは、ヒンジ８によって開閉可能になっているが、ヒンジ８に設けられる突起部４３と凹部５１とは、蓋部５と本体部６とが閉じた状態、即ち、蓋部５と本体部６とが重なり合う状態の場合に、突起部４３と凹部５１とが嵌り合う位置関係となって設けられている。つまり、ヒンジ８は、蓋部５と本体部６とが閉じて第１画像読取部１１と第２画像読取部１２とが対向し、双方の画像読取部１０が重なり合う状態の場合に、突起部４３と凹部５１とが嵌り合うように、蓋部側ヒンジ部４０や本体部側ヒンジ部４５が、蓋部５や本体部６に接続されている。
【００５０】
また、突起部４３と凹部５１とは、共に点対称に形成されており、突起部４３と凹部５１とが嵌り合った状態から当接部４２の中心軸ＣＬを中心として当接部４２と付勢部材５０とが相対的に１８０°回転した場合でも、突起部４３と凹部５１とは、嵌り合う突起部４３と凹部５１とが入れ替わって嵌り合うように設けられている。このため、蓋部５と本体部６とが閉じている状態で突起部４３と凹部５１とが嵌り合うように設けられているヒンジ８は、蓋部５と本体部６とを開き、蓋部側ヒンジ部４０と本体部側ヒンジ部４５とが相対的に１８０°回転した場合も、突起部４３と凹部５１とが嵌り合うように設けられている。
【００５１】
これらのように形成されるヒンジ８は、２つの画像読取部１０における原稿の画像を読み取るそれぞれの面に対して平行な回転軸を有して形成されている。つまり、ヒンジ８は、蓋部側ヒンジ部４０の中心軸ＣＬが、蓋部５と本体部６とを閉じた際に、第１画像読取部１１と第２画像読取部１２との双方の画像読取部１０における、他方の画像読取部１０に対向するそれぞれの面に対して平行に形成されている。これによりヒンジ８は、当該ヒンジ８の回転軸、即ち、蓋部側ヒンジ部４０の中心軸ＣＬを中心として、蓋部５と本体部６とを相対的に回動させて開閉させることができるように設けられている。
【００５２】
図９は、図１に示す密着型画像読取装置の構成の概略を示す図である。これらのように設けられる密着型画像読取装置１は、密着型画像読取装置１を制御する回路が搭載された主制御基板６０により、各種の作動が制御可能に設けられている。この主制御基板６０は、本体部６に搭載されており、当該主制御基板６０には、処理部、記憶部及び入出力部が設けられている。このうち処理部には、各種の演算処理を行うＣＰＵ（Ｃｅｎｔｒａｌ  Ｐｒｏｃｅｓｓｉｎｇ  Ｕｎｉｔ）７０が設けられている。
【００５３】
また、処理部は、第１画像読取部１１による画像の読み取りの制御を行う第１画像読取部制御部７１と、第１画像読取部１１で読み取った画像を取り込む第１読取画像取込部７２と、第２画像読取部１２による画像の読み取りの制御を行う第２画像読取部制御部７５と、第２画像読取部１２で読み取った画像を取り込む第２読取画像取込部７６と、画像表示部１５での画像表示の制御を行う画像表示制御部８０と、画像表示部１５に対して行われた入力操作を取得する入力操作取得部８１と、開閉検出機構での検出結果に基づいて蓋部５と本体部６との開閉を検出する開閉検出部８５と、を有している。
【００５４】
この実施形態１に係る密着型画像読取装置１は、以上のごとき構成からなり、以下、その作用について説明する。図１０は、原稿の画像の読み取り時における原稿の載置についての説明図である。この密着型画像読取装置１は、通常の使用時には、第２画像読取部１２側を上方に向ける向きで本体部６を下側に位置させ、第２画像読取部１２に対して相対的に開閉可能な蓋部５を、本体部６に対する蓋として使用する。このように設けられる密着型画像読取装置１で、原稿９０の画像を読み取る場合について説明すると、まず蓋部５を開いた状態で、本体部６に設けられる第２画像読取部１２の上に原稿９０を置く。原稿９０の画像の読み取り時に、原稿９０を載置する場合には、このように蓋部５を開いた状態、即ち、第１画像読取部１１と第２画像読取部１２との間に空間を形成した状態で、原稿９０を第２画像読取部１２の上に載置する。
【００５５】
図１１は、原稿の画像を読み取る場合についての説明図である。原稿９０を第２画像読取部１２の上に載置したら、この状態でヒンジ８を回動中心として蓋部５を閉じる。これにより、原稿９０は蓋部５と本体部６とで挟み込まれ、第１画像読取部１１と第２画像読取部１２に挟み込まれた状態になる。即ち、原稿９０の両面に、画像読取部１０が位置する状態になる。
【００５６】
図１２は、ヒンジの動作説明図である。図１３は、図１２のＧ−Ｇ断面図である。ここで、ヒンジ８を回動中心として蓋部５と本体部６とを開閉する際におけるヒンジ８の動作について説明すると、ヒンジ８が有する蓋部側ヒンジ部４０の突起部４３と、本体部側ヒンジ部４５の凹部５１とは、共に点対称になっており、突起部４３と凹部５１とは、嵌り合うことが可能に形成されている。また、凹部５１が形成される付勢部材５０は、本体部側ヒンジ部４５の機構室４７内を、蓋部側ヒンジ部４０の中心軸ＣＬに沿った方向に移動可能に設けられており、機構室４７に内設されるスプリング５２によって、突起部４３が形成される当接部４２の方向に押し付けられている。さらに、突起部４３と凹部５１とは、蓋部５と本体部６とが閉じた状態の場合に、嵌り合う位置関係となって形成されている。
【００５７】
このため、ヒンジ８を中心として蓋部５を開いた場合には、蓋部側ヒンジ部４０と本体部側ヒンジ部４５とは、突起部４３と凹部５１とが嵌り合った状態から、蓋部５と本体部６との相対的な角度に応じて蓋部側ヒンジ部４０と本体部側ヒンジ部４５とは、蓋部側ヒンジ部４０の中心軸ＣＬを中心として相対的に回動する（図１２、図１３）。このように、蓋部側ヒンジ部４０と本体部側ヒンジ部４５とが相対的に回動した場合、蓋部側ヒンジ部４０の突起部４３は、凹部５１に嵌っている状態から抜け、付勢部材５０における凹部５１以外の部分に接触する。突起部４３が、付勢部材５０における凹部５１以外の部分に接触している状態の場合、突起部４３は、付勢部材５０をスプリング５２の付勢力に対抗する方向に押す状態になる（図１２）。
【００５８】
このように、突起部４３が凹部５１から抜けた状態で、蓋部５を本体部６に対してヒンジ８を中心として回動させた場合、突起部４３と凹部５１との相対的な位置関係も変化するが、蓋部５と本体部６との相対的な関係が、閉じた状態に近付いた場合、突起部４３は凹部５１に嵌り始める。
【００５９】
付勢部材５０は、スプリング５２の付勢力によって当接部４２の方向に押されており、突起部４３に対して押圧されているため、突起部４３が凹部５１に嵌り始めた場合、当接部４２と付勢部材５０とには、このスプリング５２の付勢力によって、突起部４３と凹部５１とが、より嵌り合う方向の力が作用する。
【００６０】
具体的には、突起部４３と凹部５１とが嵌り始めた場合は、蓋部側ヒンジ部４０の中心軸ＣＬを中心とする突起部４３と凹部５１との回動方向の位置がずれているため、スプリング５２の付勢力によって、突起部４３と凹部５１とが嵌り合う方向に回動する方向の力が作用する。蓋部側ヒンジ部４０と本体部側ヒンジ部４５との間には、この力によって回動方向の力が発生し、蓋部５と本体部６とには、ヒンジ８を中心として閉じる方向の力が発生する。つまり、蓋部５と本体部６とは、開閉角度が一定以下の場合に双方が閉じる方向のトルクが発生する。これにより、蓋部５を閉じる際に、閉じた状態に近付いた場合、蓋部５は、このヒンジ８のスプリング５２の付勢力に起因する力により閉じられる。
【００６１】
図１４は、蓋部を開いた状態を示す説明図である。また、突起部４３と凹部５１とは、共に点対称になっているため、蓋部側ヒンジ部４０と本体部側ヒンジ部４５とを相対的に回転させ、突起部４３と凹部５１とが嵌り合っている状態から１８０°近く回転させ、突起部４３と凹部５１とが嵌り始めた場合も、蓋部５と本体部６とには、ヒンジ８のスプリング５２の付勢力に起因する力が作用する。つまり、閉じた状態の蓋部５を開くことにより、突起部４３と、付勢部材５０における凹部５１以外の部分とが接触している状態で蓋部５を開き、蓋部５が閉じた状態から１８０°近く開くと、突起部４３と凹部５１とは、蓋部５を閉じた状態における突起部４３と凹部５１とが入れ替わって嵌り始める。
【００６２】
このように、突起部４３と凹部５１とが嵌り始めた場合には、蓋部５を閉じる場合と同様に、ヒンジ８のスプリング５２の付勢力に起因する力により、蓋部５と本体部６とには、蓋部５を閉じた状態からヒンジ８を中心として１８０°開いた状態の方向への力が発生する。これにより、蓋部５を開く際に、開いた状態に近付いた場合、蓋部５は、このヒンジ８のスプリング５２の付勢力に起因する力により開かれる。これらのようにヒンジ８は、蓋部側ヒンジ部４０の当接部４２に形成される突起部４３と、本体部側ヒンジ部４５の付勢部材５０に形成される凹部５１と、スプリング５２とにより、蓋部５と本体部６との開閉方向にトルクを発生させることが可能になっている。
【００６３】
図１５は、ヒンジの突起部と凹部とが嵌り合う状態における蓋部と本体部との相対関係を示す説明図である。なお、ヒンジ８は、このように蓋部５と本体部６との開閉方向のトルクを発生するが、蓋部５を閉じた際においてヒンジ８の突起部４３と凹部５１とが嵌り合う相対的な角度は、蓋部５が本体部６に食い込む状態の角度であるのが好ましい。つまり、蓋部５が閉じた状態に近付いた場合には、蓋部５と本体部６とには、ヒンジ８によって蓋部５が閉じる方向のトルクが発生する。また、一方、突起部４３と凹部５１とが嵌り合う相対的な角度を、蓋部５が本体部６に食い込む状態の角度にした場合には、蓋部５が閉じた状態に近付いた場合には、突起部４３と凹部５１とが嵌り合う前に、蓋部５と本体部６とが当接し、蓋部５は閉じる方向には、それ以上回動しなくなる。このため、この場合は、突起部４３と凹部５１とが嵌り合い切らない状態で蓋部５は停止し、ヒンジ８によって蓋部５が本体部６に押し付けられる方向のトルクが発生し続ける。ヒンジ８の突起部４３と凹部５１とが嵌り合う相対的な角度は、このように、蓋部５が閉じた状態に近付いた場合に、蓋部５が本体部６に押し付けられる方向のトルクが発生し続ける角度で設けられていることが好ましい。
【００６４】
蓋部５と本体部６とは、このようにヒンジ８を中心として開閉可能になっているが、原稿９０を第２画像読取部１２の上に載置した状態で蓋部５を閉じ、第１画像読取部１１と第２画像読取部１２とで原稿９０を挟み込むと、スプリング５２の付勢力による蓋部５を閉じる方向のトルクによって、原稿９０に対する押圧力が発生する。
【００６５】
このように、原稿９０に対する押圧力が発生した場合、原稿９０と画像読取部１０とは、大きな圧力で接触することになるが、第１画像読取部１１における本体部６側の面の反対側の面側には、クッション材３８が配設されており、第１画像読取部１１は、このクッション材３８を介して画像読取部設置部３５に設けられている。このように配設されることにより第１画像読取部１１を支持するクッション材３８は、弾力性を有しているので、第１画像読取部１１は、画像読取部設置部３５の深さ方向、或いは、クッション材３８の厚さ方向に弾力性を有する状態で画像読取部設置部３５に設けられている。
【００６６】
このため、蓋部５を閉じる方向の力が原稿９０を介して伝達された第１画像読取部１１は、その力に応じて当該第１画像読取部１１を支持するクッション材３８が弾性変形することにより、画像読取部設置部３５の底部３６側に沈む方向に移動する。この場合、第１画像読取部１１の平面方向、即ち、第１画像読取部１１における原稿９０の画像を読み取る面に沿った方向における移動は、画像読取部設置部３５の壁面によって規制される。このため、第１画像読取部１１は、画像読取部設置部３５の底部３６側に沈む方向にのみ移動する。
【００６７】
このように、クッション材３８が弾性変形することによって第１画像読取部１１が沈み込む場合、この第１画像読取部１１が沈み込む方向の力に対するクッション材３８の反力により、原稿９０には、第１画像読取部１１から、本体部６が有する第２画像読取部１２の方向への力が付与される。さらに、このように第１画像読取部１１から原稿９０に付与された力は、原稿９０から第２画像読取部１２に付与される。つまり、第１画像読取部１１と原稿９０との間、及び原稿９０と第２画像読取部１２との間には、クッション材３８の弾性力による力が付与され、換言すると、クッション材３８は、蓋部５と本体部６とを閉じて蓋部５と本体部６との間に原稿９０を挟み込んだ際に、原稿９０と２つの画像読取部１０と間で押圧力を発生させる。
【００６８】
さらに、蓋部５を閉じる際には、ヒンジ８のスプリング５２の付勢力に基づくトルクによって、蓋部５や本体部６から原稿９０に対する押圧力が発生するため、原稿９０は、ヒンジ８のスプリング５２による蓋部５を閉じる方向の力により、第１画像読取部１１と第２画像読取部１２との双方から力を受ける。これにより、例えば原稿９０が折れ曲がっていたり、原稿９０に皺があったりする場合でも、原稿９０は押し伸ばされ、原稿９０全体が第１画像読取部１１と第２画像読取部１２との双方に密着した状態になる。また、第１画像読取部１１は、このようにクッション材３８の弾性変形によって沈み込む方向に移動可能になっているため、原稿９０の厚さに応じて第１画像読取部１１は沈み込み、それと同時に原稿９０に対して第２画像読取部１２の方向への力を付与するため、原稿９０は第１画像読取部１１と第２画像読取部１２との双方に密着した状態になる。原稿９０の画像を画像読取部１０によって読み取る場合には、このように原稿９０を第１画像読取部１１と第２画像読取部１２とに密接させた状態で読み取る。
【００６９】
ここで、このようにクッション材３８やヒンジ８のスプリング５２の付勢力を用いて原稿９０を画像読取部１０に密着させる際における原稿９０に対する押圧力について説明する。原稿９０を画像読取部１０に密着させる場合、原稿９０を平面な状態にすることができる程度の力で原稿９０を押圧するのが好ましい。
【００７０】
このため、このような押圧力を原稿９０に付与するために、蓋部５と本体部６との間に挟み込んだ原稿９０を押圧して原稿９０を平面な状態にするのに必要な力をａ［Ｎ］とし、クッション材３８のばね定数をｋ［Ｎ／ｍ］とし、クッション材３８の最大変形量をｘ［ｍ］とし、蓋部５と本体部６とを閉じた状態にするために蓋部５または本体部６に加える力をＦ［Ｎ］とした場合に、（ａ／ｘ）＜ｋ＜{（Ｆ−ａ）／ｘ}の関係を満たすように、クッション材３８やヒンジ８の特性を設定するのが好ましい。
【００７１】
なお、このうち、原稿９０を平面な状態にするのに必要な力ａは、密着型画像読取装置１で読み取る原稿９０の特性によって定められるものであり、この原稿９０が湾曲していたり折れ曲がったりしている場合に、押圧力を付与することによって原稿９０の湾曲等を矯正し、平面な状態にする場合に必要な力の大きさになっている。
【００７２】
また、クッション材３８のばね定数ｋは、一般的なコイルバネ等のばね定数と同様に、負荷を付与した際における変位量の定数となっている。具体的には、原稿９０に押圧力を付与する際にクッション材３８が潰れて変形する方向であるクッション材３８の厚さ方向（図５参照）に負荷を付与した場合における、負荷の大きさをクッション材３８の厚さ方向の変位量で割った比例定数となっている。
【００７３】
また、クッション材３８の最大変形量ｘは、クッション材３８が厚さ方向に潰れて変形する際における厚さ方向の最大の変形可能量となっている。また、蓋部５と本体部６とを閉じた状態にするために蓋部５または本体部６に加える力Ｆ（図１１参照）は、具体的には、ヒンジ８のスプリング５２の付勢力によって蓋部５が閉じられる際に、このスプリング５２の付勢力による本体部６の方向への押圧力である。
【００７４】
ヒンジ８に設けられるスプリング５２のばね定数やヒンジ８の形状、クッション材３８の特性は、これらの各値の関係が、Ｆ＞（ａ＋ｋｘ）、且つ、ａ＜ｋｘの関係を満たすように設定されるのが好ましく、即ち、（ａ／ｘ）＜ｋ＜{（Ｆ−ａ）／ｘ}の関係を満たすように設定するのが好ましい。
【００７５】
原稿９０の画像は、このように原稿９０を画像読取部１０に密接させた状態で画像読取部１０によって読み取るが、次に、画像読取部１０による画像の読取動作について説明する。原稿９０の画像を読み取る場合は、原稿９０を画像読取部１０の受発光層２０におけるバックライト３０側の反対側に配置した状態で、画像読取部１０のバックライト３０が有するＬＥＤ３３を発光させる。ＬＥＤ３３で発した光は導光板３１で当該導光板３１全体に導かれ、また、反射板３２が位置している部分では、反射板３２によって反射する。このため、ＬＥＤ３３で発した光は、バックライト３０における反射板３２が位置している側の面の反対側の面から出光し、受発光層２０を照射する。即ち、画像の読み取り時には、ＬＥＤ３３を発光させることにより、バックライト３０で受発光層２０を照射する。
【００７６】
バックライト３０によって受発光層２０を照射した場合、バックライト３０からの光は受発光層２０が有するガラス基板２１を透過し、ガラス基板２１におけるバックライト３０が位置する側の面の反対側の面において、受光素子２５が配設されていない部分である発光部２６から原稿９０に向けて出光する。即ち、バックライト３０を発光させた場合には、発光部２６から原稿９０に対して照射する。
【００７７】
このように発光部２６から出光して原稿９０に到達した光は、原稿９０で反射をするが、その際に、原稿９０の表面の色など表面の状態に応じた反射光となって反射をする。原稿９０で反射した光は受発光層２０の方向に向かって反射し、受発光層２０に向かう。受発光層２０に向かった反射光は、受発光層２０における受光素子２５や発光部２６が位置している側の面から受発光層２０に到達する。これにより、受光素子２５は、原稿９０で反射した反射光を受光する。
【００７８】
原稿９０で反射した反射光は、原稿９０の表面の状態に応じた反射光になっており、受光素子２５は、受光した光に応じて電気信号を発生可能に設けられている。このため、原稿９０で反射した反射光を受光した受光素子２５は、受光した反射光が反射をした原稿９０の表面の状態に応じた電気信号を発生する。その際に、受光素子２５は、複数が二次元配列されているため、受光素子２５は原稿９０の二次元方向における位置ごとに、原稿９０で反射した反射光を受光し、原稿９０の表面の状態に応じた電気信号を発生する。このように受光素子２５で発生した電気信号は、主制御基板６０に伝達され、主制御基板６０は、この電気信号を取得することにより、原稿９０における画像読取部１０が面している側の原稿９０の画像情報を取得する。これにより、原稿９０の画像を、二次元方向に読み取る。即ち、原稿９０における画像読取部１０に対向している面の画像を、画像読取部１０で読み取る。
【００７９】
これらのように、蓋部５と本体部６とを閉じた状態で原稿９０の画像を読み取ったら、再び蓋部５と本体部６とを開き、第２画像読取部１２の上に載置されている原稿９０を取り出す。
【００８０】
次に、このように画像読取部１０で原稿９０の画像を読み取る際における制御手順について説明する。原稿９０の画像を読み取る際に、原稿９０を第２画像読取部１２上に載置した状態で蓋部５と本体部６とを閉じると、開閉検出部８５は、双方が閉じた状態であることを検出する。このように、蓋部５と本体部６とが閉じた状態であることを開閉検出部８５で検出すると、自動的に、または、画像表示部１５への所定の入力操作によって、密着型画像読取装置１は、原稿９０の画像を画像読取部１０によって読み取る制御を行う。この画像読取制御を行う場合は、第１画像読取部制御部７１で第１画像読取部１１を制御し、第２画像読取部制御部７５で第２画像読取部１２を制御する。これにより、画像読取部１０は、画像の読み取りを開始する。
【００８１】
第１画像読取部１１や第２画像読取部１２で読み取った原稿９０の画像は、第１読取画像取込部７２や第２読取画像取込部７６で取り込み、画像表示制御部８０で画像表示部１５を制御することにより、画像表示部１５で表示する。このように、画像表示部１５で表示した原稿９０の画像を密着型画像読取装置１の使用者が視認し、使用者が任意のタイミングで、画像表示部１５の１つの機能であるスタートボタンへの入力操作を行うと、密着型画像読取装置１は、第１読取画像取込部７２や第２読取画像取込部７６で取り込んだ画像を記憶部に記憶する。つまり、第１画像読取部１１や第２画像読取部１２で読み取った画像を保存し、これにより原稿９０の画像を撮像する。
【００８２】
以上の密着型画像読取装置１は、蓋部５と本体部６とが開閉可能に設けられており、蓋部５には第１画像読取部１１が設けられ、本体部６には第２画像読取部１２が設けられている。また、第１画像読取部１１と第２画像読取部１２とは、蓋部５と本体部６とを閉じた際に、互いに対向する位置に設けられている。これらにより、蓋部５と本体部６とを閉じて原稿９０を挟み込んだ際に、原稿９０を２つの画像読取部１０で挟み込み、原稿９０の両面に画像読取部１０を位置させることができる。従って、原稿９０の両面の画像を、２つの画像読取部１０でほぼ同時に読み取ることができる。なお、第１画像読取部１１や第２画像読取部１２で原稿９０の画像を読み取る場合には、一方の画像読取部１０で画像を読み取った後、他方の画像読取部１０で画像を読み取るので、厳密には同時ではないが、これらは短時間で連続して行われる。このため、蓋部５と本体部６とに画像読取部１０をそれぞれ設けることにより、原稿９０の両面をほぼ同時に読み取ることができる。この結果、原稿９０の両面を読み取る際における容易性を向上させることができる。
【００８３】
また、第１画像読取部１１は、弾性部材であるクッション材３８を介して蓋部５に取り付けられており、蓋部５と本体部６との間に原稿９０を挟み込んだ際には、このクッション材３８の弾性力によって原稿９０と２つの画像読取部１０との間で押圧力を発生させている。これにより、原稿９０を画像読取部１０に密着させた状態で原稿９０の画像を読み取ることができる。この結果、より鮮明に原稿９０を読み取ることができる。
【００８４】
また、第１画像読取部１１を、クッション材３８を介して蓋部５に取り付けることにより、２つの画像読取部１０の取り付けの平面度のばらつきや、原稿９０ごとの厚みの差を、クッション材３８の弾性変形によって吸収することができる。これにより、より確実に、原稿９０を画像読取部１０に密着させた状態で原稿９０の画像を読み取ることができる。この結果、より鮮明に原稿９０を読み取ることができる。
【００８５】
また、原稿９０を押圧して原稿９０を平面な状態にするのに必要な力を発生させるために、各数値の相対関係を規定しているので、原稿９０を、より確実に画像読取部１０に密着させることができる。つまり、原稿９０を平面な状態にするのに必要な力ａと、クッション材３８のばね定数ｋと、クッション材３８の最大変形量ｘと、蓋部５と本体部６とを閉じた状態にするために蓋部５または本体部６に加える力Ｆと、の各数値が（ａ／ｘ）＜ｋ＜{（Ｆ−ａ）／ｘ}の関係を満たすようにしている。これにより、原稿９０を押圧した状態で原稿９０の画像を読み取る際に、原稿９０が折れ曲がっていたり、皺があったりする場合でも、原稿９０をより確実に平面な状態にすることができ、原稿９０を画像読取部１０に密着させることができる。この結果、より確実に、鮮明に原稿９０を読み取ることができる。
【００８６】
また、蓋部５と本体部６とはヒンジ８で接続され、相対的に開閉可能に設けられているため、原稿９０の画像の読み取り時に、ヒンジ８を中心として蓋部５と本体部６とを相対的に回動させることによって容易に蓋部５と本体部６とを開くことができ、開いた蓋部５と本体部６との間に、原稿９０を位置させることができる。また、蓋部５と本体部６との間に位置した原稿９０を蓋部５と本体部６とで挟み込む際も同様に、ヒンジ８を中心として蓋部５と本体部６とを相対的に回動させることにより、容易に蓋部５と本体部６とを閉じることができ、蓋部５と本体部６とによって原稿９０を挟み込むことができる。これにより、より容易に、原稿９０を第１画像読取部１１と第２画像読取部１２とで挟み込むことができ、原稿９０の両面に画像読取部１０を位置させることができる。この結果、原稿９０の両面を読み取る際における容易性を、より確実に向上させることができる。
【００８７】
また、ヒンジ８は、蓋部側ヒンジ部４０の中心軸ＣＬが、画像読取部１０における原稿９０の画像を読み取る面に対して平行に形成されており、これによりヒンジ８は、蓋部５と本体部６との開閉時における回転軸が、２つの画像読取部１０における原稿９０の画像を読み取る面に対して平行な向きとなって設けられている。このため、ヒンジ８を中心として蓋部５と本体部６との開閉する際における開閉方向を、第１画像読取部１１と第２画像読取部１２とにおける原稿９０の画像を読み取る面の間の距離を変化させることができる方向にすることができる。
【００８８】
これにより、原稿９０を蓋部５と本体部６との間に位置させて原稿９０を第２画像読取部１２の上に載置する場合には、ヒンジ８を中心として蓋部５と本体部６とを開くことにより、第１画像読取部１１と第２画像読取部１２とにおける原稿９０の画像を読み取る面の間の距離を大きくすることができるので、原稿９０を容易に蓋部５と本体部６との間に位置させることができる。また、原稿９０を蓋部５と本体部６とで挟み込む場合には、ヒンジ８を中心として蓋部５と本体部６とを閉じることにより、第１画像読取部１１と第２画像読取部１２とにおける原稿９０の画像を読み取る面の間の距離を小さくすることができるので、原稿９０を容易に蓋部５と本体部６とで挟み込むことができる。従って、より容易に、原稿９０を第１画像読取部１１と第２画像読取部１２とで挟み込むことができ、原稿９０の両面に画像読取部１０を位置させることができる。この結果、原稿９０の両面を読み取る際における容易性を、より確実に向上させることができる。
【００８９】
また、蓋部５と本体部６との相対的な開閉角度が一定以下の場合には、ヒンジ８に設けられるスプリング５２の付勢力や、蓋部側ヒンジ部４０の突起部４３、付勢部材５０の凹部５１等の作用により、双方が閉じる方向のトルクが発生するように設けられている。これにより、蓋部５と本体部６との間に原稿９０を挟み込んだ際に、より確実に、原稿９０と２つの画像読取部１０との間で、押圧力を発生させることができる。従って、より確実に、原稿９０を画像読取部１０に密着させた状態で原稿９０の画像を読み取ることができる。この結果、より鮮明に原稿９０を読み取ることができる。
【００９０】
［参考例］
参考例に係る密着型画像読取装置１００は、実施形態１に係る密着型画像読取装置１と略同様の構成であるが、蓋部と本体部とがスライド構造によって開閉する点に特徴がある。他の構成は実施形態１と同様なので、その説明を省略すると共に、同一の符号を付す。図１６は、参考例に係る密着型画像読取装置の説明図である。図１７は、図１６のＨ−Ｈ断面図である。参考例に係る密着型画像読取装置１００は、実施形態１に係る密着型画像読取装置１と同様に、任意の画像が表示可能な画像表示部１５（図１参照）と、原稿の画像を読み取る画像読取部１０とを有しており、画像読取部１０として、第１画像読取部１１と第２画像読取部１２とを有している。このうち、第１画像読取部１１は第１本体部である蓋部１０５に設けられており、第２画像読取部１２は第２本体部である本体部１０６に設けられている。これらの蓋部１０５と本体部１０６とは、第１画像読取部１１と第２画像読取部１２とが対向する向きで配設されており、蓋部１０５に係合されているスライドガイド１２０によって接続されている。
【００９１】
詳しくは、蓋部１０５と本体部１０６とは、画像読取部１０における読み取り面に沿った所定の方向に、相対的に移動可能、即ち、スライド可能に設けられており、蓋部１０５には、このスライド方向に対する幅方向における両端に、スライドガイド１２０と係合可能な蓋部側係合部１１１が設けられている。つまり、蓋部１０５に設けられる蓋部側係合部１１１は、第１画像読取部１１の読み取り面に平行な方向においてスライド方向と直交する方向における蓋部１０５の両端に配設されている。
【００９２】
また、蓋部１０５には、本体部１０６に対向している側の面、即ち、第１画像読取部１１が設けられている側の面に、本体部１０６の方向に突出したスライド部１１５が設けられている。このスライド部１１５は、蓋部側係合部１１１と同様に、スライド方向に対する幅方向における両端付近に配設されており、蓋部側係合部１１１よりも、スライド方向に対する幅方向の内側に設けられている。さらに、スライド部１１５は、蓋部１０５と本体部１０６とのスライド方向における蓋部１０５の一端側に配設されており、詳しくは、蓋部１０５と本体部１０６とを離す方向、即ち、双方が重なっている部分が減少する方向にスライドさせた場合における蓋部１０５の本体部１０６寄りの端部に配設されている。
【００９３】
これに対し、本体部１０６には、蓋部１０５に対向している側の面、即ち、第２画像読取部１２が設けられている側の面に、蓋部１０５のスライド部１１５が接触する支持面１１６が形成されている。この支持面１１６は、蓋部１０５と本体部１０６とのスライド方向に対する幅方向における位置が、蓋部１０５に設けられるスライド部１１５が配設されている位置と同じ位置で、スライド方向に沿って形成されている。
【００９４】
また、このように設けられる支持面１１６は、支持面１１６における他の部分よりも凹んだ開時係合部１１７を有している。即ち、開時係合部１１７は、支持面１１６における他の部分と段差を有して形成されており、開時係合部１１７を有する支持面１１６は、開時係合部１１７に隣接される部分と開時係合部１１７における平坦な部分とが、なだらかな傾斜によって接続されている。また、支持面１１６が有する開時係合部１１７は、蓋部１０５と本体部１０６とを離す方向に蓋部１０５と本体部１０６とを相対的にスライドさせた場合における支持面１１６の蓋部１０５寄りの端部付近の部分に形成されている。
【００９５】
また、本体部１０６には、支持面１１６の開時係合部１１７が位置する側の端部の反対側の端部に、逃げ部１１８が形成されている。この逃げ部１１８は、支持面１１６よりも凹んで形成されており、具体的には、蓋部１０５から突出して形成されるスライド部１１５の突出方向の高さよりも、支持面１１６との段差が大きな段差となって支持面１１６よりも凹んで形成されている。また、支持面１１６と逃げ部１１８との間には、なだらかな傾斜が形成されており、段差を有する支持面１１６と逃げ部１１８とは、この傾斜によって接続されている。これらのように設けられる蓋部１０５と本体部１０６とは、蓋部１０５のスライド部１１５が本体部１０６の支持面１１６に接触した状態で重ねられて設けられている。
【００９６】
また、スライドガイド１２０は、当該スライドガイド１２０が有するガイド側係合部１２２が、本体部１０６と重ねられている蓋部１０５の蓋部側係合部１１１と係合することにより蓋部１０５に接続されている。つまり、蓋部側係合部１１１は、蓋部１０５におけるスライド方向に対する幅方向における両端に、このスライド方向に対する幅方向の外側方向に突出して形成されている。
【００９７】
これに対し、スライドガイド１２０は、幅が狭い長方形の板、即ち、帯状の板が、蓋部１０５と本体部１０６とが重ねられた状態で、蓋部１０５の両端に位置する蓋部側係合部１１１のうちの一方の蓋部側係合部１１１から、本体部１０６における蓋部１０５側の面の反対側の面を通り、他方の蓋部側係合部１１１にかけて折り曲げられることにより形成されている。
【００９８】
このように形成されるスライドガイド１２０には、本体部１０６側の部分、即ち、スライドガイド１２０において、本体部１０６における蓋部１０５側の面の反対側の面側を通る部分に、本体部１０６に向かって突出した突起部１２１が形成されている。また、本体部１０６には、スライド方向に対する幅方向における、スライドガイド１２０の突起部１２１が配設されている位置に、スライド方向に沿って形成された溝である案内溝１２５が形成されている。これらのように形成される突起部１２１と案内溝１２５は、蓋部１０５と本体部１０６とが重ねられ、蓋部１０５とスライドガイド１２０とが係合した状態では、案内溝１２５に突起部１２１が入り込んだ状態になっている。また、スライドガイド１２０が有するガイド側係合部１２２は、蓋部側係合部１１１における本体部１０６が位置する側の反対側の面と当接して係合している。
【００９９】
これにより、蓋部１０５が本体部１０６から離れる方向に移動した場合は、蓋部側係合部１１１がガイド側係合部１２２によって本体部１０６から離れる方向への移動が規制され、蓋部１０５が本体部１０６から離れる方向へ移動する際における蓋部１０５の移動が規制される。また、本体部１０６が蓋部１０５から離れる方向に移動した場合も同様に、スライドガイド１２０が本体部１０６と共に蓋部１０５から離れる方向に移動し、ガイド側係合部１２２が蓋部側係合部１１１によって蓋部１０５から離れる方向への移動が規制され、本体部１０６及びスライドガイド１２０が蓋部１０５から離れる方向へ移動する際における本体部１０６やスライドガイド１２０の移動が規制される。
【０１００】
また、蓋部１０５における蓋部側係合部１１１が位置する部分付近とスライドガイド１２０との間には、スプリング１３０が配設されている。このスプリング１３０は、引張りばねにより形成されており、スライドガイド１２０における、突起部１２１が形成されている面から延びて連続して形成されている面と、蓋部１０５における、蓋部側係合部１１１が位置する部分付近の本体部１０６側を向く面である付勢力受部１１２との間に配設されている。スプリング１３０は、この位置に配設されて、これらの付勢力受部１１２とスライドガイド１２０とに接続されている。
【０１０１】
このように配設されているスプリング１３０は、付勢力受部１１２とスライドガイド１２０とに対して引張り力を付与することにより、双方が近付く方向の付勢力を付与している。即ち、付勢力受部１１２には、蓋部１０５が本体部１０６に近付く方向の付勢力が付与されている。これにより、蓋部１０５とスライドガイド１２０とには、双方が近付く方向の力が付与される。また、スライドガイド１２０における蓋部１０５には、本体部１０６が配設されているため、スライドガイド１２０に付与された蓋部１０５の方向への力は、本体部１０６に伝えられる。従って、換言すると、蓋部１０５と本体部１０６とには、スプリング１３０の引張り力により、双方が近付く方向の力が付与される。
【０１０２】
蓋部１０５と本体部１０６とは、このようにスプリング１３０の引張り力により、双方が近付く方向の力が付与されているが、蓋部１０５における本体部１０６側の面には、本体部１０６の方向に突出したスライド部１１５が配設されている。また、本体部１０６には、蓋部１０５と本体部１０６とのスライド方向に対する幅方向におけるスライド部１１５の位置と同じ位置に、スライド部１１５が接触する支持面１１６が形成されている。このため、スプリング１３０の引張り力により、蓋部１０５と本体部１０６とに、双方が近付く方向の力が付与された場合には、スライド部１１５と支持面１１６とには、互いに押し合った状態になる。蓋部１０５と本体部１０６とは、これらのように、スライドガイド１２０とスプリング１３０とにより、重ねられた状態が維持されている。
【０１０３】
この参考例に係る密着型画像読取装置１００は、以上のごとき構成からなり、以下、その作用について説明する。参考例に係る密着型画像読取装置１００は、蓋部１０５と本体部１０６とが開閉可能に設けられているが、この参考例に係る密着型画像読取装置１００では、実施形態１に係る密着型画像読取装置１のように蓋部５と本体部６とがヒンジ８によって開閉するのではなく、蓋部１０５と本体部１０６とは、相対的にスライドすることにより開閉する。つまり、参考例に係る密着型画像読取装置１００では、蓋部１０５と本体部１０６とは、２つの画像読取部１０における原稿（図１０、図１１、図１４参照）の画像を読み取るそれぞれの面に対して、平行に相対的に直線運動を行うことによって開閉する。
【０１０４】
図１８は、蓋部を開いた状態を示す説明図である。直線運動を行うことによって蓋部１０５を開く場合には、具体的には蓋部１０５を、本体部１０６に形成されている支持面１１６の形成方向に沿って、本体部１０６に対して相対的にスライドさせる。このように、蓋部１０５と本体部１０６とを相対的にスライドさせる場合、スライドガイド１２０は、ガイド側係合部１２２が蓋部１０５の蓋部側係合部１１１に係合していることにより、スライドガイド１２０は、スライド方向における位置は、蓋部１０５と同じ位置になり、スライドガイド１２０も本体部１０６に対して相対的に移動する。その際に、スライドガイド１２０に形成される突起部１２１が、本体部１０６の案内溝１２５に入り込んだ状態で案内溝１２５に沿って、相対的に移動する。
【０１０５】
また、蓋部１０５と本体部１０６とには、スプリング１３０の引張り力によって双方が近付く方向の力が付与されており、蓋部１０５のスライド部１１５は、本体部１０６の支持面１１６に押し付けられている。このため、スライドさせることによって蓋部１０５を開く場合には、スライド部１１５を支持面１１６に接触させた状態、または、蓋部１０５と本体部１０６とに、双方を離す方向の力を付与し、スライド部１１５と支持面１１６とを離間させた状態で蓋部１０５をスライドさせる。このように蓋部１０５を開く際に蓋部１０５をスライドさせる方向は、スライド部１１５を本体部１０６の支持面１１６に沿わせつつ、スライド部１１５を支持面１１６の開時係合部１１７に近付かせる方向にスライドさせる。
【０１０６】
蓋部１０５を、この方向にスライドさせ、スライド部１１５が支持面１１６の開時係合部１１７に到達した状態で、蓋部１０５をスライドさせる方向の力や、蓋部１０５と本体部１０６とを離す方向の力を除去する。蓋部１０５と本体部１０６とは、スプリング１３０の引張り力により、双方が近付く方向の力が付与されているため、このように蓋部１０５を開く際に付与する力を除去すると、スライド部１１５は開時係合部１１７に押し付けられる。
【０１０７】
スライド部１１５が、開時係合部１１７が位置する部分まで蓋部１０５をスライドさせた場合には、スライド部１１５は、このように開時係合部１１７に押し付けられるが、この開時係合部１１７は、支持面１１６における他の部分よりも凹んでいる。このため、スライド部１１５が開時係合部１１７に押し付けられている状態では、スライド部１１５を支持面１１６に沿わせて移動させる場合には、スプリング１３０によってスライド部１１５が支持面１１６に押し付けられている方向の力に打ち勝って、蓋部１０５を本体部１０６から離す方向に移動させつつ、蓋部１０５をスライドさせる必要がある。
【０１０８】
従って、換言すると、スライド部１１５が、開時係合部１１７が形成されている部分に位置するまで蓋部１０５を本体部１０６に対してスライドさせた場合には、スライド部１１５は開時係合部１１７に係合し、支持面１１６に沿って移動するスライド部１１５の移動が開時係合部１１７に規制されるため、蓋部１０５と本体部１０６とのスライドは規制される。
【０１０９】
このように、スライド部１１５が開時係合部１１７に係合した場合、蓋部１０５と本体部１０６とのスライドが規制された状態になるが、スライド部１１５は、蓋部１０５と本体部１０６とのスライド方向における蓋部１０５の一端側に配設されている。また、開時係合部１１７は、蓋部１０５と本体部１０６とを離す方向に相対的にスライドさせた場合における支持面１１６の蓋部１０５寄りの端部付近の部分に形成されている。このため、スライド部１１５が開時係合部１１７に係合した場合における蓋部１０５と本体部１０６との位置関係は、蓋部１０５と本体部１０６との双方の端部付近が係合した状態になり、蓋部１０５と本体部１０６との大部分は、他方とは重ならずに、ずれた状態になる。
【０１１０】
従って、スライド部１１５が開時係合部１１７に係合した場合には、蓋部１０５に設けられる第１画像読取部１１と、本体部１０６に設けられる第２画像読取部１２とは、互いに対向しておらず、開放された状態になっている。これにより、蓋部１０５と本体部１０６とは、相対的に開いた状態になり、即ち、蓋部１０５は開いた状態になる。原稿９０（図１０、図１１、図１４参照）の画像を読み取る場合には、このように蓋部１０５を開いた状態で原稿９０を第２画像読取部１２の上に載置する。
【０１１１】
蓋部１０５を開く場合には、このようにスライド部１１５が、開時係合部１１７が設けられている部分まで移動するように蓋部１０５をスライドさせるが、支持面１１６は、開時係合部１１７に隣接される部分と開時係合部１１７における平坦な部分とが、なだらかな傾斜によって接続されている。このため、蓋部１０５をスライドさせることにより、スライド部１１５が、この傾斜している部分に到達した場合、スプリング１３０の引張り力により、スライド部１１５は、この傾斜している部分に沿って開時係合部１１７の方向に移動し、蓋部１０５と本体部１０６とは開く。つまり、蓋部１０５と本体部１０６とは、開閉方向における相対的な位置関係が、双方を開いた状態、即ち、スライド部１１５と開時係合部１１７とが係合した状態を基準として、一定以下の移動量の場合に、双方を開く方向の力を発生するように設けられている。
【０１１２】
蓋部１０５をスライドさせて蓋部１０５を開き、原稿９０を第２画像読取部１２の上に載置したら、この状態で蓋部１０５を閉じる方向にスライドさせる。つまり、開時係合部１１７に係合している蓋部１０５のスライド部１１５が、支持面１１６における開時係合部１１７側の端部の反対側の端部側に位置する逃げ部１１８に向かう方向に、蓋部１０５をスライドさせる。
【０１１３】
この場合、支持面１１６における他の部分よりも凹んで形成されている開時係合部１１７に係合しているスライド部１１５を、開時係合部１１７から離間させる必要がある。このため、蓋部１０５に対して、スプリング１３０の引張り力以上の大きさで、且つ、本体部１０６から離す方向の力を付与し、蓋部１０５を本体部１０６から離し、スライド部１１５を支持面１１６における開時係合部１１７以外の部分に接触させる。開いた状態の蓋部１０５を閉じる場合は、スライド部１１５をこのように支持面１１６に接触させた状態で、スライド部１１５が逃げ部１１８に向かう方向に蓋部１０５をスライドさせ、スライド部１１５を逃げ部１１８に近付ける（図１６参照）。
【０１１４】
図１９は、蓋部を閉じた状態を示す説明図である。スライド部１１５が逃げ部１１８に近付く方向に蓋部１０５を本体部１０６に対してスライドさせ、スライド部１１５が、逃げ部１１８が形成されている位置まで到達した場合、蓋部１０５はスプリング１３０の引張り力により本体部１０６に近付く。つまり、逃げ部１１８は、支持面１１６よりも凹んで形成されており、また、蓋部１０５と本体部１０６とには、スプリング１３０の引張り力によって双方が近付く方向の力が付与されている。このため、スライド部１１５が、逃げ部１１８が設けられている位置に到達した場合、本体部１０６の方向に突出して形成されているスライド部１１５は、スプリング１３０の引張り力により逃げ部１１８の方向に移動し、これにより、蓋部１０５は本体部１０６に近付く方向に移動する。
【０１１５】
この逃げ部１１８は、支持面１１６との段差が、スライド部１１５の高さよりも大きくなっている。このため、スライド部１１５が、蓋部１０５のスライド方向において逃げ部１１８が形成されている位置に到達し、スライド部１１５が当該スライド部１１５の突出方向における逃げ部１１８の方向に移動した場合、スライド部１１５は、逃げ部１１８には当接しない。この場合、蓋部１０５は、スライド部１１５以外の部分が本体部１０６に当接する。
【０１１６】
また、逃げ部１１８は、本体部１０６における、開時係合部１１７が位置する側の端部の反対側の端部に位置しており、スライド部１１５も蓋部１０５の端部に位置している。このため、スライド部１１５が、蓋部１０５のスライド方向において逃げ部１１８が形成されている位置に到達した場合は、蓋部１０５に設けられる第１画像読取部１１と、本体部１０６に設けられる第２画像読取部１２とは、互いに対向する状態になる。従って、第２画像読取部１２の上に原稿９０を載置した状態で、スライド部１１５が、逃げ部１１８が形成されている位置に到達し、スライド部１１５が当該スライド部１１５の突出方向における逃げ部１１８の方向に移動した場合には、第１画像読取部１１と第２画像読取部１２とで原稿９０を挟み込んだ状態になる。
【０１１７】
この場合、蓋部１０５と本体部１０６とは、スプリング１３０の引張り力によって双方が近付く方向の付勢力が付与されているため、第１画像読取部１１と第２画像読取部１２とは、この付勢力によって、挟み込んだ原稿９０に対して押圧力を付与する。参考例に係る密着型画像読取装置１００では、このように蓋部１０５のスライド部１１５が本体部１０６の逃げ部１１８に近付く方向に、蓋部１０５を本体部１０６に対して相対的にスライドさせることにより、蓋部１０５を閉じる。
【０１１８】
蓋部１０５を閉じる場合には、このようにスライド部１１５が、逃げ部１１８が設けられている部分まで移動するように蓋部１０５をスライドさせるが、支持面１１６と逃げ部１１８とは、なだらかな傾斜によって接続されている。このため、蓋部１０５を閉じる場合には、蓋部１０５をスライドさせることにより、スライド部１１５が、逃げ部１１８に接続された傾斜部分に到達した場合、スプリング１３０の引張り力により、スライド部１１５は、この傾斜部分に沿って逃げ部１１８の方向に移動し、蓋部１０５と本体部１０６とは閉じる。つまり、蓋部１０５と本体部１０６とは、開閉方向における相対的な位置関係が、双方を閉じた状態、即ち、スライド部１１５が、逃げ部１１８が設けられている位置の到達した状態を基準として、一定以下の移動量の場合に、双方を閉じる方向の力を発生するように設けられている。
【０１１９】
原稿９０の画像を読み取る場合には、このように蓋部１０５を閉じて原稿９０に押圧力を付与し、原稿９０を第１画像読取部１１と第２画像読取部１２とに密着させた状態で読み取る。参考例に係る密着型画像読取装置１００では、実施形態１に係る密着型画像読取装置１で原稿９０の画像を読み取る場合と同様に、このように画像読取部１０に原稿９０を密着させた状態で、主制御基板６０で画像読取部１０を制御することにより、画像を読み取る。
【０１２０】
以上の密着型画像読取装置１００は、第１画像読取部１１が設けられている蓋部１０５と、第２画像読取部１２が設けられている本体部１０６とを、直線運動を行うことによって開閉可能にしている。これにより、蓋部１０５を開く際に、画像読取部１０の原稿９０の画像を読み取る面に直交する方向、即ち、密着型画像読取装置１００の厚さ方向の大きさを大きくすることなく、蓋部１０５と本体部１０６とを相対的に開くことができる。従って、密着型画像読取装置１００の周囲におけるこの方向のスペースを大きく取れない状態でも、容易に蓋部１０５と本体部１０６とを開いて、双方の間に原稿９０を挟み込むことができる。この結果、原稿９０の両面を読み取る際における容易性を、より確実に向上させることができる。
【０１２１】
また、蓋部１０５と本体部１０６とは、直線運動による開閉方向における蓋部１０５と本体部１０６との相対的な位置関係が、閉じた状態から一定以下の移動量の場合には、スプリング１３０の引張り力や、スライド部１１５、支持面１１６、逃げ部１１８等の作用により、双方が閉じる方向の力を発生するように設けられている。これにより、蓋部１０５と本体部１０６との間に原稿９０を挟み込んだ際に、原稿９０と２つの画像読取部１０との間で押圧力を発生させることができる。従って、原稿９０の画像を画像読取部１０で読み取る際に、原稿９０を画像読取部１０に密着させた状態で読み取ることができる。この結果、より鮮明に原稿９０を読み取ることができる。
【０１２２】
なお、実施形態１に係る密着型画像読取装置１では、蓋部５と本体部６との開閉は、ヒンジ８の作動によって行っており、参考例に係る密着型画像読取装置１００では、蓋部１０５と本体部１０６とが相対的にスライドさせることにより行っているが、蓋部５、１０５と本体部６、１０６との開閉は、これ以外の構造や方法で行ってもよい。それぞれに画像読取部１０が設けられる蓋部５、１０５と本体部６、１０６との開閉は、蓋部５、１０５と本体部６、１０６とを相対的に開いた場合に、原稿９０を載置したり取り出したりすることができ、蓋部５、１０５と本体部６、１０６とを相対的に閉じた場合には、原稿９０の両面に画像読取部１０を位置させ、原稿９０を２つの画像読取部１０で挟み込むことができる手法であれば、その手法は問わない。
【０１２３】
また、実施形態１に係る密着型画像読取装置１では、第１画像読取部１１のみクッション材３８を介して蓋部５に取り付けられているが、第２画像読取部１２もクッション材３８を介して本体部６に取り付けられていてもよい。同様に、参考例に係る密着型画像読取装置１００が有する第１画像読取部１１や第２画像読取部１２も、クッション材３８を介して蓋部１０５や本体部１０６に取り付けられた、フローティング構造によって設けられていてもよい。さらに、実施形態１に係る密着型画像読取装置１では、第１画像読取部１１をフローティング構造によって設ける際に、画像読取部設置部３５とクッション材３８とによって設けているが、第１画像読取部１１をフローティング構造によって設ける場合には、これ以外の形態により構成してもよい。第１画像読取部１１と第２画像読取部１２とは、少なくともいずれか一方をクッション材３８等の弾性部材を介して蓋部５、１０５、または本体部６、１０６に取り付けられていればよい。このように、弾性部材を介して画像読取部１０を取り付けることにより、原稿９０の画像を画像読取部１０で読み取る際に、原稿９０を画像読取部１０に密着させることができるため、より鮮明に、原稿９０の画像を読み取ることができる。
【０１２４】
また、上述した実施形態１及び参考例に係る密着型画像読取装置１、１００では、蓋部５、１０５が第１本体部として設けられており、本体部６、１０６が第２本体部として設けられているが、第１本体部と第２本体部とは、蓋部５、１０５と本体部６、１０６と以外により設けられていてもよい。即ち、第１本体部が第２本体部の蓋として設けられている必要はなく、第１本体部と第２本体部との関係は、実施形態１及び参考例に係る密着型画像読取装置１、１００の蓋部５、１０５と本体部６、１０６との関係にとらわれない。
【産業上の利用可能性】
【０１２５】
以上のように、本発明に係る密着型画像読取装置は、画像を電気的に読み取る画像読取装置に有用であり、特に、画像を読み取る部分に原稿を密着させて読み取る密着型画像読取装置に適している。
【符号の説明】
【０１２６】
１、１００  密着型画像読取装置
５、１０５  蓋部
６、１０６  本体部
８  ヒンジ
１０  画像読取部
１１  第１画像読取部
１２  第２画像読取部
１５  画像表示部
２０  受発光層
２１  ガラス基板
２５  受光素子
２６  発光部
３０  バックライト
３８  クッション材
６０  主制御基板
７０  ＣＰＵ
７１  第１画像読取部制御部
７２  第１読取画像取込部
７５  第２画像読取部制御部
７６  第２読取画像取込部
８０  画像表示制御部
８１  入力操作取得部
８５  開閉検出部
９０  原稿
１１５  スライド部
１１６  支持面
１１７  開時係合部
１１８  逃げ部
１２０  スライドガイド
１３０  スプリング
【図１】
0005577142.tif 000002
【図２】
0005577142.tif 000003
【図３】
0005577142.tif 000004
【図４】
0005577142.tif 000005
【図５】
0005577142.tif 000006
【図６】
0005577142.tif 000007
【図７】
0005577142.tif 000008
【図８】
0005577142.tif 000009
【図９】
0005577142.tif 000010
【図１０】
0005577142.tif 000011
【図１１】
0005577142.tif 000012
【図１２】
0005577142.tif 000013
【図１３】
0005577142.tif 000014
【図１４】
0005577142.tif 000015
【図１５】
0005577142.tif 000016
【図１６】
0005577142.tif 000017
【図１７】
0005577142.tif 000018
【図１８】
0005577142.tif 000019
【図１９】
0005577142.tif 000020